(57)【要約】【課題】  合焦表示用の発光素子の不適当な点灯により撮影者に違和感を持たせないカメラを提供すること。【解決手段】  レリーズ釦が半押しされたことを受けて測距装置に被写体距離を測定させるとともに、測定の結果が少なくとも所定の結果であったときレリーズ釦が半押しされた時点を起点としてレリーズ釦が半押しされ引き続いて全押しされる場合に必要とされる所定の短時間を経過した後、レリーズ釦が半押し状態にある間が存在せずにレリーズ釦が全押しされた場合には、制御部は発光素子を点灯させない。【選択図】        図４
2005274976.tif 000002
【特許請求の範囲】
【請求項１】
被写体を撮影するカメラにおいて、
半押し操作、全押し操作の２つの操作態様を有するレリーズ釦と、
前記レリーズ釦が半押し操作されたときに被写体距離を測定する測距装置と、
発光素子と、
前記レリーズ釦が半押しされたことを受けて前記測距装置に被写体距離を測定させるとともに、該測定の結果が少なくとも所定の結果であったとき前記レリーズ釦が半押しされた時点を起点として該レリーズ釦が半押しされ引き続いて全押しされる場合に必要とされる所定の短時間を経過した後、該レリーズ釦が半押し状態にある間、前記発光素子を点灯させる制御部とを備えたことを特徴とするカメラ。
【請求項２】
前記制御部は、前記レリーズ釦が半押しされた時点を起点とした前記所定の短時間については、前記発光素子を消灯したままにしておくものであることを特徴とする請求項１記載のカメラ。
【請求項３】
このカメラは、所定の最至近距離から無限遠までの間の被写体を撮影対象とする通常撮影モードを有するカメラであり、
前記制御部は、前記通常撮影モードにおいて前記測定により、被写体が前記最至近距離よりも近距離に存在するという結果が得られたことを受けて、前記所定の短時間を経過した後、前記レリーズ釦が半押し状態にある間、前記発光素子を所定の周期で点滅させるものであることを特徴とする請求項１記載のカメラ。
【請求項４】
このカメラは、さらに、前記通常撮影モードにおける最至近距離よりも近距離の最至近距離と所定の最遠距離との間の被写体を撮影対象とするマクロ撮影モードを有するカメラであり、
前記制御部は、前記マクロ撮影モードにおいては、前記測定により、被写体が該マクロ撮影モードにおける最至近距離よりも近距離に存在するという結果が得られたことを受けて、前記所定の短時間を経過した後、前記レリーズ釦が半押し状態にある間、前記発光素子を所定の第１の周期で点滅させ、前記測定により、被写体が該マクロ撮影モードにおける最遠距離よりも遠距離に存在するという結果が得られたことを受けて、前記所定の短時間を経過した後、前記レリーズ釦が半押し状態にある間、前記発光素子を所定の第２の周期で点滅させるものであることを特徴とする請求項２記載のカメラ。
【発明の詳細な説明】
【技術分野】
【０００１】
本発明は、被写体を撮影するカメラに関する。
【背景技術】
【０００２】
測距装置を備えたカメラにおいては、周知の如く、シャッタレリーズの前に撮影者に合焦状態を知らせるための合焦表示用の発光ダイオードが設けられたものがある。この発光ダイオードは、合焦作動中や非合焦状態では消灯状態におかれ、合焦状態が得られた場合に点灯するようになっている。このように発光ダイオードを点灯させて合焦したことを撮影者に知らせることでカメラのピントの設定状態が撮影者に知らされると、撮影者は撮影を失敗することなくピントのあった写真を得ることができる。
【０００３】
また、最近のカメラには、撮影者自らを被写体として撮影するためのセルフ撮影モードを有するカメラも多く、そのセルフ撮影モードで撮影が行なわれるときに、撮影者に視認される位置に発光素子を設けて、その発光素子を点灯あるいは消灯させ、合焦表示、非合焦表示を行なっているものがある（特許文献１参照）。この特許文献１のカメラでは、合焦表示用の発光ダイオードを設けてセルフ撮影時の合焦、非合焦を撮影者に伝えるほか、セルフ表示用の発光ダイオードを別に設けて、露光終了時にそのセルフ表示用の発光ダイオードを点灯させて露光が終了したことを撮影者に伝えている。このようにしておくと、露光中に被写体である撮影者が動いてしまい、写真にブレが生じてしまうようなことが防止される。
【０００４】
ところで、最近のカメラにはレリーズ釦に２つの操作態様を持たせてあるものが多く、半押し時に測距装置に被写体距離を測定させるとともに、その測定結果に応じて合焦点に撮影レンズを移動させ、全押し時に撮影を行なうカメラが多い。このようなカメラで撮影者が撮影を行なうときには、特に意識せずにレリーズ釦を一気に全押し操作してしまうことが多い。このため、半押し時に測距装置に被写体距離を測定させた結果に基づき、合焦表示用の発光素子を点灯させても、すぐに全押しされて発光素子が消灯してしまい、あまり発光素子の点灯が意味をなさない。却ってその一瞬の点灯が撮影者に違和感を持たせてしまうようなことさえある。
【特許文献１】特開昭６２−５８２３３号公報
【発明の開示】
【発明が解決しようとする課題】
【０００５】
上記問題を改善するため、本発明は、撮影者に違和感を持たせないカメラを提供することを目的とするものである。
【課題を解決するための手段】
【０００６】
本発明は、被写体を撮影するカメラにおいて、
半押し操作、全押し操作の２つの操作態様を有するレリーズ釦と、
上記レリーズ釦が半押し操作されたときに被写体距離を測定する測距装置と、
発光素子と、
上記レリーズ釦が半押しされたことを受けて上記測距装置に被写体距離を測定させるとともに、その測定の結果が少なくとも所定の結果であったとき上記レリーズ釦が半押しされた時点を起点としてそのレリーズ釦が半押しされ引き続いて全押しされる場合に必要とされる所定の短時間を経過した後、そのレリーズ釦が半押し状態にある間、上記発光素子を点灯させる制御部とを備えたことを特徴とする。
【０００７】
上記本発明のカメラによれば、上記レリーズ釦が半押しされ引き続いて全押しされる場合に必要とされる所定の短時間を経過した後、そのレリーズ釦が半押し状態にある間、上記測距装置での測定の結果が少なくとも所定の結果であったとき上記発光素子が点灯する。また、半押しされ引き続いて全押しされる場合に必要とされる短時間を経過した後、半押し状態の間が存在しない場合、つまり撮影者が合焦、非合焦の表示をあまり意識せずに一気にレリーズ釦の全押し操作を行なった場合には、上記所定の短時間経過した後の上記半押し状態の間が存在しないので上記発光素子を点灯しない。すなわち、撮影者が、合焦、非合焦をあまり意識せずにレリーズ釦を一気に全押ししたときには、上記制御部に上記発光素子を点灯させない制御を行なわせ、また撮影者が半押しした後、半押し状態の間、フレーミングを行なって撮影を行なうときには、今までどおり制御部に発光素子を点灯させる制御を行なわせる。このようにすることで、撮影者によりレリーズ釦が一気に全押し操作された場合には上記発光素子を点灯させないため、一瞬の点灯により撮影者に違和感を持たせるといったことがなくなる。
【０００８】
またこのようにレリーズ釦が一気に全押し操作された場合には発光素子を点灯させずに済むため、いままで発光素子の点灯のために費やされていた電池の消費電力が軽減されるという効果も得られる。
【０００９】
さらに、上記制御部は、上記レリーズ釦が半押しされた時点を起点とした上記所定の短時間については、上記発光素子を消灯したままにしておくものであることが好ましい。
【００１０】
このようにすると上記制御部が、一気に全押し操作されるかどうかを上記所定の短時間の間に判定することができ、その短時間の間に判定した結果に基づいて上記発光素子の点灯制御を行なうことができる。
【００１１】
ここで、このカメラは、所定の最至近距離から無限遠までの間の被写体を撮影対象とする通常撮影モードを有するカメラであり、
上記制御部は、上記通常撮影モードにおいて上記測定により被写体が上記最至近距離よりも近距離に存在するという結果が得られたことを受けて、上記所定の短時間を経過した後、上記レリーズ釦が半押し状態にある間、上記発光素子を所定の周期で点滅させるものであることが好ましい。
【００１２】
このように上記制御部が、上記所定の短時間を経過した後レリーズ釦の半押し状態の間、上記発光素子を所定の周期で点滅させると、半押ししたままフレーミングを行なうような場合に有効で、その点滅によってカメラが被写体に近づきすぎているということが分かるので、撮影者はカメラを引いて撮影を行なうのに最適な位置にカメラを構え直してから撮影を行なうことができる。
【００１３】
このカメラは、さらに、上記通常撮影モードにおける最至近距離よりも近距離の最至近距離と所定の最遠距離との間の被写体を撮影対象とするマクロ撮影モードを有するカメラであり、
上記制御部は、上記マクロ撮影モードにおいては、上記測定により、被写体がそのマクロ撮影モードにおける最至近距離よりも近距離に存在するという結果が得られたことを受けて、上記所定の短時間を経過した後、上記レリーズ釦が半押し状態にある間、上記発光素子を所定の第１の周期で点滅させ、上記測定により、被写体がそのマクロ撮影モードにおける最遠距離よりも遠距離に存在するという結果が得られたことを受けて、上記所定の短時間を経過した後、上記レリーズ釦が半押し状態にある間、上記発光素子を所定の第２の周期で点滅させるものであることが好ましい。
【００１４】
そうすると、マクロ撮影モードにおける最至近距離から最遠距離までの間でカメラを構えて、上記レリーズ釦を半押し状態にしたまま、その至近距離近くを前後して上記発光素子の点灯、第１の点滅周期での点滅を見ながら最至近距離ぎりぎりにこのカメラを構えることも、また、その最遠距離近くを前後して上記発光素子の点灯、第２の周期での点滅を見ながらその最遠距離ぎりぎりにこのカメラを構えることもできる。
【００１５】
このように本発明にカメラによれば、上記発光素子の点灯あるいは点滅によってカメラの位置を撮影者に示唆することができるという効果も得られる。
【発明の効果】
【００１６】
以上説明したように、撮影者に違和感を持たせないカメラを提供することができる。また、上記発光素子の点灯あるいは点滅の表示によって、合焦、非合焦の状態を撮影者に知らせることができるので、このカメラを構える最適な位置を撮影者に示唆することができるという効果も得られる。
【発明を実施するための最良の形態】
【００１７】
以下図面を参照して本発明の実施の形態を説明する。
【００１８】
図１はそのカメラの外観を示す図である。
【００１９】
図１（ａ）にはこのカメラ１の正面図が示されており、図１（ｂ）にはこのカメラ１の背面図が示されている。
【００２０】
図１（ａ）に示すカメラ１のカメラボディ１ａの中央にはレンズ鏡胴１０が備えられており、そのレンズ鏡胴１０内には撮影レンズ１０ａが内蔵されている。このレンズ鏡胴１０の上方にはファインダ１１が備えられている。図示はしていないが、このファインダ１１が設けられている部分には測距用の投光窓や受光窓、また測光用の窓もまたリモコンの受信部も設けられている。この測距用の投光窓を通して光が被写体に向けて投光され、その投光された光が被写体に当たって戻ってくる光が受光窓を通してカメラ内部の測距回路（以下ＡＦ回路という）に導かれて被写体距離が測定され、また、被写界からの光が測光用の窓を通してカメラ内部の測光回路に導かれ被写界輝度が測定される。カメラボディ１ａ上面部にあるレリーズ釦１３が操作されると、これらのＡＦ回路および測光回路の測定結果に基づいて絞りおよびシャッタ速度が定められてシャッタが駆動されて撮影が行なわれる。そのファインダ部の右横には閃光発光窓１２が備えられており、測光回路での測定の結果、閃光が必要であると判断された場合にはその閃光発光窓１２から閃光が発光されて外界の光だけでは足りない分の光量が確保されて撮影が行なわれる。
【００２１】
また、撮影レンズの左横には縦方向に並んで３つの発光素子ＬＥＤ１〜ＬＥＤ３が設けられており、その発光素子ＬＥＤ１〜ＬＥＤ３の上方にはリモコン受信部１１３ａが設けられている。これら発光素子ＬＥＤ１〜ＬＥＤ３は例えばリモコン撮影を行なうときなどに合焦時に点灯、非合焦時に点滅する発光素子である。このカメラ１の背面側のファインダ１１近傍にはこれら発光ダイオードＬＥＤ１〜ＬＥＤ３と同様に点灯あるいは点滅する発光素子からなるＡＦランプが設けられており、通常はファインダ１１を覗いているときに撮影者に合焦、非合焦であるかを知らせているが、例えばこのカメラ１を撮影者に向けて撮影を行なうとき、あるいはこのカメラでリモコン撮影を行なうときには、これら発光ダイオードＬＥＤ１〜ＬＥＤ３を点灯、あるいは点滅させて合焦、非合焦をこのカメラから離れた位置にいる撮影者に知らせることができるようにもしている。
【００２２】
図１（ｂ）に示すカメラ１の背面には、ファインダ１１の接眼窓が設けられており、その接眼窓の近傍には前述したＡＦランプＬＥＤ４が設けられている。このカメラが備える測距装置による被写体距離の測定結果に応じてそのＡＦランプＬＥＤ４も上記発光ダイオードＬＥＤ１〜ＬＥＤ３と同様に点灯したり消灯したりして合焦であるか、非合焦であるかの表示が行なわれる。そのファインダ１１の下方には、ＬＣＤパネル１９が設けられており、そのＬＣＤパネル１９ａ上には撮影モードやフラッシュモードなどの選択メニューが表示されている。この撮影モードの中には通常撮影モードやマクロ撮影モードなどがあり、これらのモードのうちいずれかがＬＣＤパネル１９ａ下方にある撮影モード設定スイッチ１４によって指定されると、それらのモードのうちいずれかで撮影が行なわれる。このカメラ１では、通常撮影モードが指定されたときには、所定の最至近距離から無限遠までの間の被写体を撮影対象として撮影が行なわれる。また、マクロ撮影モードが撮影モード設定スイッチ１５により指定されたときには、その通常撮影モードにおける最至近距離よりも近距離の最至近距離と所定の最遠距離との間の被写体を撮影対象として撮影が行なわれる。
【００２３】
また、そのＬＣＤ画面の周りには他にリモコン／セルフ設定スイッチ１５、電源スイッチ１６が設けられており、これらのスイッチの設定状況が反映されてＬＣＤパネル１９ａ上にその設定内容が表示されるようになっている。また、カメラの背面のＬＣＤの右側方側には裏蓋スイッチ１７が設けられており、カメラ１内部にフィルムを装填するときにこの裏蓋スイッチ１７が押されて裏蓋が開けられてフィルムが装填されるようになっている。さらにその裏蓋スイッチ１７の上部には、ＴＥＬＥスイッチ１８ａとＷＩＤＥスイッチ１８ｂとからなるズームスイッチ１８が設けられている。
【００２４】
図２は、このカメラ１の内部の構成を示す構成ブロック図である。
【００２５】
このカメラ１の動作はＣＰＵ１００で統括的に制御されるものであり、ＣＰＵ１００が内蔵するＲＯＭ１００ｂ内に格納されたプログラムの手順に基づいてこのカメラ１の動作がＣＰＵ１００により制御される。ＣＰＵ１００はこのカメラの動作を制御している最中に、処理の状況に応じて書き換えられるフラグなどを一時記憶するためのＲＡＭ１００ｂも内蔵しており、このＲＡＭ１００ｂ内に格納されたフラグの内容などに応じてＣＰＵ１００により適宜処理が行なわれる。
【００２６】
このカメラ１に電池が装填されると、その電池から電源回路１０１に電力が供給され、その電源回路１０１を介してＣＰＵ１００に電力が供給される。ここでは電池を含めて電源回路１０１としてあり、電池が装填されたときにＣＰＵ１００に電力が供給されてスイッチ群の中の電源スイッチ１６の操作を待ち受ける構成になっている。なお、この図２では、レリーズ釦１３、撮影モード設定スイッチ１４、セルフ／リモコン設定スイッチ１５、電源スイッチ１６、裏蓋スイッチ１７、ズームスイッチ１８などを一まとめにしてスイッチ群１３〜１８と記載してある。このように電池が装填された後、スイッチ群１３〜１８の中の電源スイッチ１６の操作がＣＰＵ１００により検知され、電源回路１０１からの電力が図２に示す各部に供給されてこのカメラに撮影動作を開始させる構成になっている。
【００２７】
まず、このカメラ１の裏蓋が開けられ、このカメラ１内にフィルムが装填され、さらに裏蓋が閉じられたら、図１に示す裏蓋スイッチ１７がオンして、その裏蓋スイッチ１７がオンしたことをＣＰＵ１００が検知する。ＣＰＵ１００は、フィルムが装填されたと認識して、モータドライバ１２０に指示を与えてフィルム給送部１０２にフィルムを給送させて、フィルムの撮影コマを撮影面にセットして、撮影準備を整える。このときには、電源スイッチ１６が投入されたことを受けて、電源回路１０１からの電力がＬＣＤ１９にも供給されているのでＬＣＤパネル１９ａ上に、このカメラが現在どのような状態にあるかを表示させている。例えば、通常撮影モード、マクロ撮影モードのうちのいずれの撮影モードが選択されているかを表示させたり、撮影可能なフィルム枚数を表示させたり、電池の絵が表示されて電池の残量が表示させたり、時計回路からの出力信号に基づいて日付が表示させたりしている。
【００２８】
このＬＣＤパネル１９ａ上に表示されている撮影可能なフィルム枚数の残量があることが表示されているときにレリーズ釦１３が押下されて撮影が行なわれる。このカメラ１のレリーズ釦１３は半押し、全押しの２つの操作態様を有しており、半押し操作時にＣＰＵ１００は測距回路（以下ＡＦ回路という）１０３を作動させ、ＡＦ回路１０３で測定された被写体距離に応じてモータドライバ１２０に指示を出して鏡胴駆動部１０４を駆動させ、レンズ鏡胴１０に内蔵されている撮影レンズ１０ａを合焦点位置に移動させるとともに、測光回路１０５も作動させて被写界輝度を測定する。このＡＦ回路１０３とＡＦ用の投光窓、受光窓などを含めて測距装置が構成される。このときには発光ダイオード群の中の各発光ダイオードＬＥＤ１〜ＬＥＤ３を点灯あるいは点滅させ、各発光ダイオードを用いて合焦あるいは非合焦の表示を行なっている。さらに全押しされたら、モータドライバ１２０に指示を与えてシャッタ駆動部１０６にシャッタを駆動させ、フィルムに被写界輝度に応じた光量を与えるように露光を開始させる。被写界輝度に応じた所定の露光量になったらモータドライバ１２０に指示を与えてシャッタ駆動部１０６にシャッタを逆駆動させ、撮影を終了させる。これら鏡胴駆動部１０４、フィルム給送部１０２、シャッタ駆動部１０６には、撮影レンズの位置を検出するセンサ、フィルムのパーフォレーションを検出するセンサ、シャッタが開いたことを検出するセンサなどが配備されており、これらのセンサの検出結果をＣＰＵ１００が検出して鏡胴の位置やフィルムの撮影コマの位置やシャッタの開放時間が正確に制御される。撮影が終了したら、ＣＰＵ１００はモータドライバ１２０に指示を与えてフィルム給送部１０２に次の撮影に備えてフィルムを給送させる。次の撮影コマをセットするためにフィルムが給送されている間に時計回路１０７からの出力信号に基づいてデート写し込み部１０８によりその給送されている既撮影コマの所定の領域に撮影日付が写しこまれて撮影が終了する。
【００２９】
また、ＣＰＵ１００は、測光回路１０５の測定結果から閃光が必要とされると判定した場合にはフラッシュ回路１０９から閃光を発光させて撮影を行なう。さらに、図１（ｃ）に示すリモコン送信機１１２で撮影操作が行なわれたときにはリモコン送信機１１２からの信号を、リモコン受信部１１３ａを通してリモコン受信回路１１３により受信してＣＰＵ１００は撮影処理をシャッタ駆動部１０６などに行なわせる。このリモコン送信機１１２により撮影操作が行なわれたときにはレリーズ釦１３が押下操作される訳ではないので、リモコン信号が供給されてきた時点を起点として所定の時間例えば２秒後に、ＣＰＵ１００からモータドライバ１２０に指示を与えてシャッタ駆動部１０６にシャッタを駆動させている。
【００３０】
なお、このカメラ１には不揮発性のＥＥＰＲＯＭ１１０も配備されており、電源スイッチ１６がオフされた場合、ＲＡＭ１００ｂの内容が消えてしまうので、ＲＡＭ１００ｂに一時記憶されているデータのうち、消えると困るデータを電源オフ時にこのＥＥＰＲＯＭ１１０に退避させ、電源スイッチが再投入されたときにＲＡＭ１００ｂにそのデータを復帰させることができるようにもしてある。またこのカメラ１にはアラーム用のブザー１１１が備えられており、アラームが発生した場合にはブザーを鳴らして警報を発することができるようにもなっている。
【００３１】
以上のような構成のカメラ１で撮影が行なわれる。
【００３２】
ここで、図２に示す発光ダイオード群ＬＥＤ１〜ＬＥＤ３とスイッチ群１３〜１８の構成を詳細に図３に示して発光ダイオードの点灯および点滅動作を説明する。
【００３３】
図３は、制御部であるＣＰＵ１００と図２に示すＬＥＤ群ＬＥＤ１〜ＬＥＤ３とスイッチ群１３〜１８の構成を示す詳細図である。
【００３４】
ここでは、図３を参照してカメラ前面に設けられた３つの発光ダイオードＬＥＤ１〜ＬＥＤ３の点滅、点灯制御を行なうＣＰＵ（制御部）の構成を説明する。なお、図示はしていないがＡＦランプもこれら発光ダイオードと同様に点灯、点滅制御される。
【００３５】
図３に示すＣＰＵ１００の入力端子ＩＮ１〜ＩＮ８には、レリーズ釦１３、撮影モード設定スイッチ１４、リモコン／セルフ設定スイッチ１５、電源スイッチ１６、裏蓋スイッチ１７、ズームスイッチ１８のＴＥＬＥスイッチ１８ａ、ズームスイッチのワイドスイッチ１８ｂがそれぞれスイッチ路が開放されたまま接続されており、いずれかのスイッチが操作され、その操作されたスイッチがオンすると、ＣＰＵ１００の入力端子のいずれかがハイ状態からロー状態に変化してＣＰＵ１００が、いずれかのスイッチが操作されたことを検出する構成になっている。このカメラ１のレリーズ釦１３は半押し、全押し２つの操作態様を持っているので、その半押しに対応するスイッチＳＰ１、また全押しに対応するスイッチＳＰ２がそれぞれ設けられている。
【００３６】
ＣＰＵ１００は、これらスイッチＳＰ１，ＳＰ２のうち、半押し操作に対応するスイッチＳＰ１がオンしたときに、ＣＰＵ１００の入力端子ＩＮ３がハイレベルからローレベルに変化したことを検知して、ＲＯＭ１００ａ内の処理手順にしたがって図２に示す各部を適宜作動させて所定の処理を行なう。
【００３７】
またＣＰＵ１００の出力端子ＩＬＥＤ１〜ＩＬＥＤ３には各発光ダイオードＬＥＤ１〜ＬＥＤ３が各トランジスタＴＲ１〜ＴＲ３を介して各接続されており、ＣＰＵ１００は、スイッチＳＰ１、ＳＰ２の状態に応じてこれらトランジスタＴＲ１〜ＴＲ３のベースにローレベル信号を供給してそれらトランジスタＴＲ１〜ＴＲ３をオンさせ発光ダイオードＬＥＤ１〜ＬＥＤ３を点灯させたり、トランジスタＴＲ１〜ＴＲ３のベースにハイレベル信号を供給してトランジスタＴＲ１〜ＴＲ３をオフさせ発光ダイオードＬＥＤ１〜ＬＥＤ３を消灯させたりしている。ＣＰＵ１００は所定の周期のパルス列からなる信号をそれらトランジスタＴＲ１〜ＴＲ３のベースに供給して発光ダイオードＬＥＤ１〜ＬＥＤ３を点滅させることもできる。
【００３８】
このような構成により、レリーズ釦１３の半押し、全押しに応じて各発光ダイオードＬＥＤ１〜ＬＥＤ３の点灯あるいは点滅がＣＰＵ１００により制御される。
【００３９】
図４は、レリーズ釦１３が半押しされたことを受けてＡＦ回路１０３を含む測距装置に被写体距離を測定させるとともに、その測定の結果が少なくとも所定の結果であったとき、レリーズ釦１３が半押しされた時点を起点としてレリーズ釦１３が半押しされ引き続いて全押しされる場合に必要とされる所定の短時間を経過した後、そのレリーズ釦１３が半押し状態にある間、発光ダイオードＬＥＤ１〜ＬＥＤ３を点灯させる場合、ＣＰＵ１００が出力する信号を示す図である。なお、ここではレリーズ釦が操作されたときにＣＰＵが発光ダイオードに信号を出力して発光ダイオードを点灯、あるいは点滅させるので、図４の縦軸側には、レリーズ釦の操作状態を示すスイッチＳＰ１、スイッチＳＰ２とそれら信号の変化に応じて発光ダイオードに信号を出力する出力端子ＩＬＥＤ１、ＩＬＥＤ２、ＩＬＥＤ３がそれぞれ示されており、横軸には時間が示されている。
【００４０】
図４（ａ）にはスイッチＳＰ１、ＳＰ２の各オン状態、それらオン状態に応じてＣＰＵ１００がトランジスタＴＲ１〜ＴＲ３のベースに供給する信号それぞれを示してある。
【００４１】
図４（ａ）にはこの図で示される期間以前に半押しされ、スイッチＳＰ１がオンしている間、ＣＰＵ１００の出力端子ＩＬＥＤ１〜ＩＬＥＤ３からトランジスタＴＲ１〜ＴＲ３のベースにローレベル信号を供給して発光ダイオードを点灯させたことが示されている。また、半押しに引き続いて全押しされてスイッチＳＰ２がオンしたときにそれらトランジスタＴＲ１〜ＴＲ３のベースに供給していたローレベル信号をハイレベル信号に切り替えて発光ダイオードＬＥＤ１〜ＬＥＤ３を消灯させていることも示されている。
【００４２】
レリーズ釦１３が半押しされスイッチＳＰ１がオンしたことをＣＰＵ１００が検出したことを受けて、ＣＰＵ１００はＡＦ回路１０３を含む測距装置に被写体距離を測定させるとともに、その測定の結果が少なくとも所定の結果であったとき、図４（ａ）に示すように、半押し状態の間（ＳＰ１がオンしている間）、ＣＰＵ１００の出力端子からローレベルになる信号を発光ダイオードＬＥＤ１〜ＬＥＤ３に供給して各発光ダイオードＬＥＤ１〜ＬＥＤ３を点灯させている。
【００４３】
つまり、ＣＰＵ１００は、レリーズ釦１３が半押しされたことを受けてＡＦ回路１０３を含む測距装置に被写体距離を測定させた結果が少なくとも所定の結果であったとき、レリーズ釦１３が半押しされた時点を起点としてレリーズ釦１３が半押しされ引き続いて全押しされる場合に必要とされる所定の短時間を経過した後、半押し状態の間、発光ダイオードＬＥＤ１〜ＬＥＤ３を点灯させている。
【００４４】
しかし、ＣＰＵ１００が、レリーズ釦１３が半押しされたことを受けて測距装置に被写体距離を測定させるとともに、その測定の結果が少なくとも所定の結果であったとき、レリーズ釦が半押しされた時点を起点としてレリーズ釦１３が半押しされ引き続いて全押しされる場合に必要とされる所定の短時間（τ）を経過した後半押し状態（ＳＰ１ＯＮ、ＳＰ２ＯＦＦ）が存在しない場合、つまりレリーズ釦が一気に押しこまれた場合には、図４（ｂ）に示すように、ＣＰＵ１００がトランジスタＴＲ１〜ＴＲ３にローレベル信号を供給せずに発光ダイオードの点灯を消灯させたままにして点灯を禁止している。このように発光ダイオードＬＥＤ１〜ＬＥＤ３の点灯を禁止することで、合焦、非合焦を意識せずにレリーズ操作を行なう撮影者に違和感を持たせないようにしている。このようにすると、発光ダイオードＬＥＤ１〜ＬＥＤ３を点灯させない分、電池の電力の消耗を抑制することができ、またレリーズ釦が一気に半押しおよび全押しされた場合にはＣＰＵ１００が撮影処理のみを行なえばよくなるので、ＣＰＵ１００の負荷を軽減することができる。
【００４５】
また、所定の最至近距離から無限遠までの間の被写体を撮影対象とする通常撮影モードで撮影を行なう場合に所定の最至近距離よりも近距離に被写体が位置したときには、ＣＰＵ１００がカメラ前面の発光素子ＬＥＤ１〜ＬＥＤ３およびファインダ近傍のＡＦランプＬＥＤ４を点滅させて非合焦であることを撮影者に知らせている。
【００４６】
図５は、通常撮影モードでの撮影時に測距装置による測定結果が撮影距離範囲内の最至近距離よりも近距離に存在することがＡＦ回路からの測定結果に基づいてＣＰＵにより検知され、ＣＰＵ１００がピントが最至近距離よりも近距離に存在するという警告の表示（以下、近距離警告の表示という）を行なう場合、ＣＰＵ１００が発光ダイオードＬＥＤ１〜ＬＥＤ３に出力する信号を示す図である。なお図５には図４と対応する図が示されている。
【００４７】
ＡＦ回路１０３を含む測距装置の測定結果に基づき近距離警告の表示を行なう場合には、図５に示すようにＣＰＵ１００から第１の点滅周期に当たるパルス列状の信号を各発光素子に供給して３つの発光ダイオードＬＥＤ１〜ＬＥＤ３を一斉に点滅させている。この第１の点滅周期で発光ダイオードＬＥＤ１〜ＬＥＤ３を点滅させることにより近距離警告の表示を行なうことで撮影者にピントのずれを示唆することができ、全押しによる撮影を思い止まらせることもできる。この図ではピントのずれを承知の上で撮影が行なわれた場合のタイミングが示されている。
【００４８】
また、撮影モードの中のマクロ撮影モードが指定されたときには、通常撮影モードにおける最至近距離よりも近距離の最至近距離と所定の最遠距離との間にピントが設定されて撮影が行なわれる。このマクロ撮影モードの場合には、マクロ撮影モードにおける最至近距離よりも近距離に被写体が存在する場合に加えて、マクロ撮影モードにおける最遠距離よりも遠方に被写体が存在する場合があるので、双方の警告を区別して表示する必要がある。以降の説明においては、通常撮影モードにおける最至近距離およびマクロ撮影モードにおける最至近距離よりも近距離に被写体が存在する場合に行なう警告を近距離警告というのに対し、マクロ撮影モードにおける最遠距離よりも遠距離に被写体が存在する場合に行なう警告を遠距離警告と記載する。
【００４９】
図６は制御部であるＣＰＵ１００がＡＦ回路１０３を含む測距装置の測定結果に基づき遠距離警告の表示を行なう場合、ＣＰＵ１００が発光ダイオードＬＥＤ１〜ＬＥＤ３に出力する信号を示す図である。図６には図４、図５と対応する図が示されている。
【００５０】
図６に示すように、第２の点滅周期である２５０ｍｓの点滅周期でＬＥＤ１〜ＬＥＤ３を一斉に点滅させている。
【００５１】
このように近距離警告時には第１の点滅周期（１２５ｍｓ）で、遠距離警告時には第２の点滅周期（２５０ｍｓ）で点滅させて撮影者に視認させるようにすると、撮影者はピントがどちらにずれているかがすぐに分かる。また、これら警告表示と図４（ａ）の合焦表示とを利用してマクロ撮影を行なうときのカメラの設定位置をマクロ撮影モードにおける最至近距離、又は最遠距離のぎりぎりの位置に設定することもできる。
【００５２】
図７は、ＣＰＵ１００が行なう点灯制御の処理手順を示すフローチャートである。
【００５３】
図７にはマクロ撮影モードが指定されて合焦時の点灯表示、および非合焦時の近距離警告の表示および遠距離警告の表示を行なうときのフローチャートが示されている。通常撮影モードが指定されたときには、このフローの遠距離警告の表示を行なう部分が省略される。
【００５４】
このフローの処理は半押しされスイッチＳＰ１がオンして所定の短時間が経過した後に開始され、その所定の短時間を経過する前にスイッチＳＰ１がオフした場合には、このフローの処理は開始されない。
【００５５】
ステップＳ７０１でスイッチＳＰ１がオンしてから所定の短時間後、全押しに対応するスイッチＳＰ２がオンして全押しされたかどうかを判断している。ここで所定の短時間を経過した後、スイッチＳＰ１の半押し状態にある時間が存在せず、ＳＰ２がオンしたと判定した場合には、レリーズ釦が一気に全押しされたものとして、Ｙ側に進みステップＳ７０２で撮影処理を行なってこのフローチャートの処理を終了する。
【００５６】
このステップＳ７０１でＮｏと判定された場合には、本発明にいう所定の短時間を経過した後半押し状態にある間が存在すると判断されて以降の点灯継続処理、点滅処理が行なわれる。
【００５７】
つまり、ステップＳ７０１でＳＰ２がオンせずに、半押しされ引き続いて全押しされる場合に必要とされる所定の短時間を経過した後、半押し状態が継続されているときには、Ｎ側に進み、ステップＳ７０３で所定の短時間を経過した後、半押し状態にあるのでＬＥＤ１からＬＥＤ３を一斉に点灯させる。次のステップＳ７０４で、ＡＦ回路での測距結果に基づいてＣＰＵ１００が近距離警告の表示を行なうかどうかを判定する。その測距結果によりマクロ撮影モードにおける最至近距離よりも近距離に存在するとＣＰＵ１００が判定した場合には、Ｙ側に進みステップＳ７０５で第１の点滅周期である１２５ｍｓの点滅周期での点滅を開始させるべく１２５ｍｓでタイムアウトが発生するタイマを作動させる。また最至近距離よりも近距離に存在しないことをＣＰＵ１００が検知した場合には、Ｎ側に進み次のステップＳ７０６で遠距離警告の表示を行なうかどうかを判定する。ここでＡＦ回路１０３を含む測距装置の測定結果に基づいてマクロ撮影モードにおける最遠点よりも遠距離側に被写体が存在するとＣＰＵ１００が判定した場合には、Ｙ側に進み、ステップＳ７０７で第２の周期である２５０ｍｓの点滅周期で発光ダイオードＬＥＤ１〜ＬＥＤ３の点滅を開始させるべく２５０ｍｓでタイムアウトが発生するタイマを作動させる。ＡＦ回路１０３を含む測距装置での測定結果が本発明にいう少なくとも所定の結果であった場合にはステップＳ７０５、ステップＳ７０７ともＮ側に進みステップＳ７０８へ移行する。
【００５８】
このステップＳ７０８では、発光ダイオードＬＥＤ１〜ＬＥＤ３を点滅させる処理を行なう必要があるかどうかを判定する。ステップＳ７０５あるいはステップＳ７０７でタイマを作動させている場合には、近距離警告であれば１２５ｍｓでタイムアウトが生じ、また遠距離警告であれば２５０ｍｓでタイムアウトが生じるので、このステップＳ７０８でそのタイムアウトが発生したかどうかを判定している。ここでタイムアウトが発生したと判定したら、発光ダイオードＬＥＤ１〜ＬＥＤ３を点滅させるためにステップＳ７２０以降の点滅処理を行なう。
【００５９】
近距離警告の表示を行なう必要も遠距離警告の表示を行なう必要もなく、所定の結果つまり合焦であった場合には、ステップＳ７０８で無条件にＮ側に進みステップＳ７０９で半押しが継続されているかどうかを判定する。ステップＳ７０９で半押しが継続されずにスイッチＳＰ１がオフしていたらＮ側に進み、ステップＳ７１０でＣＰＵ１００の出力端子ＩＬＥＤ１〜ＩＬＥＤ３からハイレベル信号をトランジスタＴＲ１〜ＴＲ３のベースに供給して発光ダイオードＬＥＤ１〜ＬＥＤ３を消灯させてこのフローの処理を終了する。
【００６０】
ステップＳ７０９でスイッチＳＰ１がオンのままで半押しが継続されていたら、Ｙ側に進みステップＳ７１１でスイッチＳＰ２がオンして入るかどうかにより全押しされたかどうかを判定する。まだ全押しされておらずスイッチＳＰ２がオフしていたら、ステップＳ７０８に戻ってステップＳ７０８からＳ７１１までのステップの処理を繰り返し行なう。ステップＳ７１１でＳＰ２がオンして全押しされたと判定したらＹ側に進みＣＰＵ１００の出力端子ＩＬＥＤ１〜ＩＬＥＤ３からハイレベル信号をトランジスタのベースに供給して発光ダイオードＬＥＤ１〜ＬＥＤ３を消灯させ、撮影処理に移行する。
【００６１】
ここでステップＳ７２０からステップＳ７２６までで行なわれる点滅処理を説明する。
【００６２】
ステップＳ７０５またはステップＳ７０７でタイマを作動させた場合には、ステップＳ７０８でタイムアウトが発生したかどうかを判定してタイムアウトが発生したときに、発光ダイオードが点灯していたら消灯させる、また発光ダイオードが消灯していたら点灯させるのいずれかの処理をステップＳ７２０からステップＳ７２６で行なう。
【００６３】
まず、ステップＳ７０８でタイムアウトが発生したと判定したら、ステップＳ７２０で近距離警告であるかどうかを判定し、このステップＳ７２０で近距離警告であると判定したらＹ側に進みステップＳ７２１でタイマ（１２５ｍｓ）をリセットする。ここでは近距離警告なので次のステップＳ７２２、Ｓ７２３を通過してステップＳ７２４で発光ダイオードＬＥＤ１〜ＬＥＤ３が点灯中であるか消灯中であるかを判定する。このステップＳ７２４で発光ダイオードが点灯中であったら、Ｙ側に進みＣＰＵ１００の出力端子ＩＬＥＤ１〜ＩＬＥＤ３からハイレベル信号を出力して発光ダイオードＬＥＤ１〜ＬＥＤ３を消灯させる。またステップＳ７２４で発光ダイオードＬＥＤ１〜ＬＥＤ３が消灯中であると判定したらＮ側に進み、ＣＰＵ１００の出力端子ＩＬＥＤ１〜ＩＬＥＤ３からローレベル信号を出力して発光ダイオードＬＥＤ１〜ＬＥＤ３を点灯させる。このように１つ前の状態が点灯状態だったら消灯状態へ、１つ前の状態が消灯状態だったら点灯状態へというように点滅処理を行なう。そしてステップＳ７０９へ移行して半押しが継続されているかどうかをスイッチＳＰ１により判定してスイッチＳＰ１がオンしていなかったら、Ｎ側に進みステップＳ７１０で発光ダイオードＬＥＤ１〜ＬＥＤ３を消灯させ、スイッチＳＰ１がオンしていたらＹ側に進みステップＳ７１１で全押しされているかをスイッチＳＰ２により判定する。ここでスイッチＳＰ２がオンしておらずまだ全押しされていなかったら、ステップＳ７０８へ戻ってステップＳ７０８からＳ７１１、およびステップＳ７２０からＳ７２６までの処理を繰り返し行なう。ステップＳ７１１でスイッチＳＰ２がオンしてレリーズ釦１３が全押しされていると判定したらＹ側に進み、発光ダイオードＬＥＤ１〜ＬＥＤ３を消灯させ、撮影処理に移行する。
【００６４】
また、遠距離警告であったら、ステップＳ７２０でＮ側に進みステップＳ７２２でＹ側に進み、ステップＳ７２３でタイマ（２５０ｍｓ）をリセットして次のステップＳ７２４で発光ダイオードが点灯中であるかどうかを判定する。以降、近距離警告の処理と同様の処理を行なう。
【００６５】
以上のような処理を行なって制御部であるＣＰＵ１００によって発光素子の点灯および点滅が制御される。
【００６６】
以上、説明したように、レリーズ釦が一気に全押しされた場合には合焦表示用の発光素子が点灯しないので、撮影者に違和感を持たせるといったことがなくなる。
【図面の簡単な説明】
【００６７】
【図１】カメラの外観を示す図である。
【図２】図１のカメラの内部の構成を示す構成ブロック図である。
【図３】スイッチ群の中のレリーズ釦が押下されたときにＣＰＵがカメラ前面の３つの発光素子を点灯させる構成を示す図である。
【図４】レリーズ釦１３が半押し状態にある間、発光ダイオードＬＥＤ１〜ＬＥＤ３を点灯させる場合のＣＰＵ１００の入出力の動作を示す波形図である。
【図５】ＣＰＵ１００が、近距離警告の表示を行なう場合のＣＰＵの入出力部の信号を示す波形図である。
【図６】ＣＰＵ１００が、遠距離警告の表示を行なう場合のＣＰＵの入出力部の信号を示す波形図である。
【図７】ＣＰＵ１００が行なう点灯および点滅制御の処理手順を示すフローチャートである。
【符号の説明】
【００６８】
１    カメラ
１０    鏡胴
１０ａ    撮影レンズ
１１    ファインダ
１２    閃光発光窓
１３    レリーズ釦
１４    撮影モード設定スイッチ
１５    セルフ／リモコン設定スイッチ
１６    電源スイッチ
１７    裏蓋スイッチ
１８    ズームスイッチ
１８ａ    ＴＥＬＥスイッチ
１８ｂ    ＷＩＤＥスイッチ
１９    ＬＣＤ
１９ａ    ＬＣＤパネル
１００    ＣＰＵ
１００ａ    ＲＯＭ
１００ｂ    ＲＡＭ
１０１    電源回路
１０２    フィルム給送部
１０３    ＡＦ回路
１０４    鏡胴駆動部
１０５    測光回路
１０６    シャッタ駆動部
１０７    時計回路
１０８    デート写し込み部
１０９    フラッシュ回路
１１０    ＥＥＰＲＯＭ
１１１    ブザー
１１２    リモコン送信機
１１３    リモコン受信回路
１１３ａ    リモコン受信部
１２０    モータドライバ
【図１】
2005274976.tif 000003
【図２】
2005274976.tif 000004
【図３】
2005274976.tif 000005
【図４】
2005274976.tif 000006
【図５】
2005274976.tif 000007
【図６】
2005274976.tif 000008
【図７】
2005274976.tif 000009